【手続補正書】
【提出日】平成26年10月31日(2014.10.31)
【手続補正１】
【補正対象書類名】特許請求の範囲
【補正対象項目名】全文
【補正方法】変更
【補正の内容】
【特許請求の範囲】
【請求項１】
近接照射治療装置において：
近位端及び遠位端と、近位部分と、組織を通る管に導入するように構成され遠位先端で終端する遠位部分と、を具える細長コア部材と；
複数の細長部材であって、各々が、前記コア部材の遠位端に連結された遠位端と、前記コア部材に対して移動可能な近位端と、細長部材の近位端と遠位端の間に延在する経路であって、それに沿って放射線源を受ける経路とを具え、前記細長部材の近位端が前記遠位端に対して移動可能であって細長部材を折り畳まれた構造から拡張した構造へ拡張させて前記細長部材を前記コア部材の遠位部分から外側半径方向へ離すように構成された、細長部材と；
前記細長部材の近位端近傍で前記コア部材に連結された近位端と、前記コア部材の遠位先端に連結された遠位端を具え、前記拡張可能な部材が前記コア部材の遠位部分を取り囲んでおり、前記細長部材が折り畳まれた構造にある前記拡張可能な部材の外側表面に沿って延在している拡張可能な部材と；
を具えることを特徴とする近接照射治療装置。
【請求項２】
請求項１に記載の装置において、前記拡張可能な部材が、前記細長部材を拡張させた後に、前記拡張可能な部材が外側に向けて、当該拡張した細長部材に接触するように拡張可能であることを特徴とする装置。
【請求項３】
近接照射治療装置において：
近位端及び遠位端と、近位部分と、組織を通る管に導入するように構成され遠位先端で終端する遠位部分と、を具える細長コア部材と；
複数の細長部材であって、各々が、前記コア部材の遠位端に連結された遠位端と、前記コア部材に対して移動可能な近位端と、細長部材の近位端と遠位端の間に延在する経路であって、それに沿って放射線源を受ける経路とを具え、前記細長部材の近位端が前記遠位端に対して移動可能であって細長部材を折り畳まれた構造から拡張した構造へ拡張させて前記細長部材を前記コア部材の遠位部分から外側半径方向へ離すように構成された、細長部材と；
前記細長部材の近位端近傍で前記コア部材に連結された近位端と、前記コア部材の遠位先端に連結された遠位端を具え、前記拡張可能な部材が前記コア部材の遠位部分を取り囲んでおり、前記細長部材が折りたたまれた構造にある前記拡張可能な部材の外側表面に沿って延在している拡張可能な部材と； 
前記細長部材に連結されたアクチュエータハブと、当該ハブから近位側に延在しており、前記コア部材に対して軸方向に移動可能であり、前記拡張可能な部材の細長部材を独立して拡張させる細長アクチュエータ部材であって、当該細長部材が前記拡張可能な部材の独立した細長アクチュエータ部材によって前記拡張可能な部材から離れて拡張可能であり、前記拡張可能な部材が拡張しない状態を維持するように構成された細長アクチュエータ部材と；
を具えることを特徴とする装置。
【請求項４】
請求項１に記載の装置において、前記拡張可能な部材が前記細長部材から独立して拡張可能であり、前記細長部材が、前記拡張可能な部材が拡張する前に前記拡張可能な部材から離れて拡張できることを特徴とする装置。
【請求項５】
請求項１乃至４のいずれか一項に記載の装置が更に、前記近位部分から遠位側に延在し、前記拡張可能な部材の内部に連通して、前記拡張可能な部材を拡張させるために前記内部に膨張媒体を送達する膨張ルーメンを具えることを特徴とする装置。
【請求項６】
請求項１又は２のいずれか１項に記載の装置が更に、前記コア部材の遠位先端に連結された遠位側ハブを具え、前記細長部材の遠位端が当該遠位側ハブに連結されていることを特徴とする装置。
【請求項７】
請求項６に記載の装置が更に、前記コア部材に移動可能に装着された近位側ハブと、当該近位側ハブから近位側に延在して、前記近位側ハブを駆動して前記細長部材を折り畳まれた構造から拡張した構造へ向けるアクチュエータ部材と、を具えることを特徴とする装置。
【請求項８】
請求項７に記載の装置において、前記アクチュエータ部材が回転方向に移動可能で、前記細長部材を折り畳まれた構造から拡張した構造へ向けることを特徴とする装置。
【請求項９】
請求項７に記載の装置において、前記アクチュエータ部材が軸方向に移動可能であり、前記近位側ハブを軸方向に移動させて、前記細長部材を折り畳まれた構造から拡張した構造にすることを特徴とする装置。
【請求項１０】
請求項１乃至９のいずれか１項に記載の装置において、各細長部材が筒状部材と、前記細長部材が折り畳まれた構造から拡張した構造になるときに所定の弓形形状を維持するように前記筒状部材をバイアスする細長支持材とを具えることを特徴とする装置。
【請求項１１】
請求項１乃至１０のいずれか１項に記載の装置において、前記コア部材が、放射線源を受ける経路を具えることを特徴とする装置。
【請求項１２】
請求項１乃至１１のいずれか１項に記載の装置が更に、前記ターゲット位置に放射線を送達するために前記経路に沿って導入可能な放射線源を具えることを特徴とする装置。
【請求項１３】
請求項１乃至１２のいずれか１項に記載の装置が更に、前記コア部材の近位端から前記コア部材の遠位部分へ延在する作動チャネル部材を具え、当該作動チャネル部材が、前記コア部材の近位端から前記遠位部分近傍の開口へ延在するルーメンを具えることを特徴とする装置。
【請求項１４】
請求項１乃至１３のいずれか１項に記載の装置において、前記細長部材の一つが、吸引部材を具え、当該吸引部材が前記吸引部材の近位端へ延在する吸引ルーメンと連通する前記遠位部分近傍に一又はそれ以上のポートを具えることを特徴とする装置。
【請求項１５】
請求項１４に記載の装置が更に、前記吸引部材の近位端に接続された真空源を具え、前記一又はそれ以上のポートを介して前記吸引ルーメンへ物質を吸引することを特徴とする装置。
【請求項１６】
請求項１４に記載の装置において、前記吸引部材が筒状部材の近傍に配置されており、当該筒状部材がその中にソースルーメンを具え、それに沿って放射線源を受ける経路を提供することを特徴とする装置。
【請求項１７】
請求項１４に記載の装置において、前記吸引部材がその中にソースルーメンを具え、それに沿って放射線源を受ける経路を提供することを特徴とする装置。
【請求項１８】
近接照射治療装置において：
近位端及び遠位端と、近位部分と、組織を通る管に導入するように構成されて、遠位先端で終端する遠位部分と、を具える細長コア部材と；
前記コア部材の遠位先端に連結された遠位側ハブと；
前記遠位側ハブの近位側に前記コア部材に移動可能に装着された近位側ハブと；
複数の細長カテーテルであって、前記遠位側ハブに連結された遠位端と、前記近位側ハブに連結された近位端と、前記近位側ハブ及び遠位側ハブの間に延在する細長部分と、前記各カテーテル近位端と遠位端の間に延在し、これに沿って放射線源を受けるルーメンと、を具える細長カテーテルと；
前記近位側ハブに連結され、この近位側ハブから近位側に延在するアクチュエータ部材であって、前記カテーテルを折り畳まれた構造から拡張された構造へ移動させるように駆動して、前記細長部分が前記コア部材から半径方向外側に向ける、アクチュエータ部材と；
前記近位側ハブに連結された近位端と、前記遠位側ハブに連結された遠位端を具える拡張可能な部材であって、当該拡張可能な部材が前記コア部材の遠位部分を取り囲んでおり、前記細長部材が前記拡張可能な部材の外側表面に沿って、折り畳まれた構造で延在する細長部材と；
前記コア部材の近位部分及び遠位部分の間に延在する作動チャネル部材であって、近位端と、遠位端と、これらの間に延在するルーメンであって、当該作動チャネルルーメンに連通する開口が前記拡張可能な部材近傍に配置されているルーメンを具える作動チャネル部材と；
を具えることを特徴とする装置。
【請求項１９】
請求項１８に記載の装置において、前記拡張可能な部材が、前記細長部材から独立して拡張可能であり、前記拡張可能な部材が拡張する前に、前記細長部材が前記拡張可能な部材と別に拡張できることを特徴とする装置。
【請求項２０】
請求項１９に記載の装置が更に、前記近位部分から遠位側に延在し、前記拡張可能な部材の内部に連通して前記拡張可能な部材を拡張させるべく内部に膨張媒体を送達する膨張ルーメンと、を具えることを特徴とする装置。
【請求項２１】
請求項１３及び１８乃至２０のいずれか１項に記載の装置が更に、近位端と、前記動作チャネルルーメンを通って導入するサイズの遠位端と、これらの近位端と遠位端の間に延在するルーメンとを具える吸引カテーテルを具え、当該吸引カテーテルの近位端が、前記吸引カテーテル遠位端の開口を介して前記吸引カテーテルルーメンに物質を吸引する真空源に連結されていることを特徴とする装置。
【請求項２２】
請求項１３及び１８乃至２１のいずれか１項に記載の装置において、前記動作チャネル部材が前記動作チャネルルーメンを選択的にシールするバルブを前記動作チャネルルーメン内に具えていることを特徴とする装置。
【請求項２３】
請求項２２に記載の装置において、前記バルブがバイアスされて閉じており、前記吸引カテーテルルーメンを通って器具が導入されるときに開くように構成されていることを特徴とする装置。
【請求項２４】
請求項２２に記載の装置において、前記バルブが前記動作チャネル遠位端近傍にあることを特徴とする装置。
【請求項２５】
請求項１８乃至２４のいずれか１項に記載の装置において、前記動作チャネルの遠位端が、前記コア部材から離れる方向に角度がつけられており、前記動作チャネルの遠位端による最小の干渉で前記拡張可能な部材の拡張を受け入れることを特徴とする装置。